(57)【要約】【課題】  現場施工に適用され、操作者が簡単に板材に対して造形と角度折り曲げの調整が行える組合せ式板材の提供。【解決手段】  活動基板、定向基板及び連接ユニットを具え、活動基板の二側端にそれぞれ二つの前後の対称な枢設孔が設けられ、定向基板の二側端にそれぞれ二つの前後の対称な定向溝が設けられ、定向溝内に位置決め孔が設けられ、連接ユニットの一側に前後に対称なピンが設けられ、該ピンが枢設孔及び位置決め孔に組み合わされ、連接ユニットのピンと活動基板に設けられた枢設孔が組み合わされた後、連接ユニットと活動基板の間が相対回転可能とされ、連接ユニットのピンと定向基板に設けられた位置決め孔が組み合わされた後、定向溝の制限を受けて連接ユニットと定向基板の間が相対回転不能とされ、これにより組合せ式板材が組合せ後に回転可能と回転不能な部位を発生する。【選択図】        図１
0003114374.tif 000002
【実用新案登録請求の範囲】
【請求項１】
活動基板、定向基板及び連接ユニットを具え、活動基板の二側端にそれぞれ二つの前後の対称な枢設孔が設けられ、定向基板の二側端にそれぞれ二つの前後の対称な定向溝が設けられ、定向溝内に位置決め孔が設けられ、連接ユニットの一側に前後に対称なピンが設けられ、該ピンが枢設孔及び位置決め孔に組み合わされ、連接ユニットのピンと活動基板に設けられた枢設孔が組み合わされた後、連接ユニットと活動基板の間が相対回転可能とされ、連接ユニットのピンと定向基板に設けられた位置決め孔が組み合わされた後、定向溝の制限を受けて連接ユニットと定向基板の間が相対回転不能とされ、これにより組合せ式板材が組合せ後に回転可能と回転不能な部位を発生することを特徴とする、組合せ式板材。
【請求項２】
請求項１記載の組合せ式板材において、連接ユニットにピン孔が設けられ、ピンが挿入ピンに設置され、並びに挿入ピンがピン孔に挿入された後に連接ユニットより突出することを特徴とする、組合せ式板材。
【請求項３】
請求項２記載の組合せ式板材において、ピン孔は連接ユニットを貫通し、ピン孔にヘッド溝が設けられ、挿入ピンの末端のヘッドが組み合わされて挿入ピンが位置決めされることを特徴とする、組合せ式板材。
【請求項４】
請求項２記載の組合せ式板材において、挿入ピンに後ろネジ山が設けられてピン孔と螺合固定されることを特徴とする、組合せ式板材。
【請求項５】
請求項２記載の組合せ式板材において、ピンの前ネジ山が設けられてピンと位置決め孔及び枢設孔が螺合固定され、この時、連接ユニットと活動基板の回転がピン孔と挿入ピンの間に発生することを特徴とする、組合せ式板材。
【考案の詳細な説明】
【技術分野】
【０００１】
本考案は一種の現場施工及び組立に便利な組合せ式板材に係り、その回転可能と回転不能な部位の組合せにより、板材が接続後に平面、湾曲面、折り曲げ角度、更には曲げ度が漸次改変する効果を現出し、囲い、屏風、椅子のシート、テーブル面、園芸用フレーム、視覚造形体、置物フレーム、装飾板、ランプカバー、家具或いはその他の板材を主要な構成とするものに実施される組合せ式板材に関する。
【背景技術】
【０００２】
板材と板材の間の結合方式の多くは嵌合、螺合、ほぞみぞ接合、釘止め、接着、かしめ接合等の固定技術とされ、板材の間の相互位置決めにより結合を完成する。板材が木質の時、その結合方式は嵌合、ほぞみぞ接合、接着或いは釘止めの方式が多い。板材が金属で構成される時は、螺合、かしめ接合の方式が一般的である。板材間の接合、接合角度の組合せ、その間の開放効果により、機能性或いは芸術造形を具えた形態を発生できる。
【０００３】
複数の板材を相互に組み合わせて平面、曲面或いは折り曲げを具えた空間を形成することは既に大量に建築、家具或いは視覚造形体に運用されている。しかし、家具或いは視覚造形体（例えば椅子のシート或いは屏風）は木板、プラスチックスチール板材或いは金属板のいずれで構成されても、その実施は先ず外観及びサイズの設計の後、各板材の設置部分が規格されて、その後、施工能力を具えた工場内で製造され、最後に完成品の形態で設置地点に運送される。
【０００４】
現在、市場には非常に多くの使用者が自分で組み立てる方式の家具或いは装飾物があり、既に設計された完成品が部品を整理し並びに包装されて、展示と運送の空間を節約できるものとされる。しかしこのような方式は展示と運送の空間を節約できるが、消費者にとっては設計変更の空間がなく、使用者は僅かに一定の組立方法によってのみ、操作マニュアルと同様の商品を組み立てることしかできず、且つ往々にして組立過程で組立ミスにより部品の損壊や遺失の問題を有し得る。
【考案の開示】
【考案が解決しようとする課題】
【０００５】
一般に製品化された家具或いは視覚造形体は往々にして既存の空間のインテリアに融合しにくい。例えば、使用者が既にインテリアを完成した家に屏風或いは間仕切りを加えたい時、市販品では完全には使用者の要求に符合する製品が見つからないことがよくある。もし内装業者に現場測量して施工してもらうと、木屑が四散し、空気中に微粒子が飛び散り、施工騒音を発生し、更には施工の不備によりその他の家具を損傷することもある。
【０００６】
且つ板材製品を定形後に、使用者或いは設計者が心変わりするか或いは家具の設置位置を変更したい時、板材製品の長さ、折り曲げ部分或いは曲げ度が使用要求に符合しない時、この板材製品は破壊性の分解を行わねばならず、更には廃棄して新品を購入するか新たに施工しなければならない。
【０００７】
次に、使用者が家に持ち帰り自分で組み立てる家具或いは装飾物は、空間調整、曲げ度調整の機能を具備せず、使用者が自己の意志により必要な造形変化を発生させることができず、その実施は僅かに組立コストを節約できるだけである。
【０００８】
以上から、本考案は着脱が簡単で且つ現場施工変化に符合し、高い調整性を有する組合せ式板材を提供することを目的とする。
【０００９】
上述の目的を達成するため、本考案によると、板材と板材の間の組合せに高さの調整性を具備させ、九九見合せ平面、湾曲面或いは折り曲げの現出を更に容易とする。本考案は活動基板、定向基板及び連接ユニットの相互組合せにより形成される組合せ式板材である。
【００１０】
活動基板の二側端にそれぞれ二つの前後の対称な枢設孔が設けられ、定向基板の二側端にそれぞれ二つの前後の対称な定向溝が設けられ、定向溝内に位置決め孔が設けられ、連接ユニットの一側に前後に対称なピンが設けられ、該ピンが枢設孔及び位置決め孔に組み合わされる。
【００１１】
連接ユニットのピンと活動基板に設けられた枢設孔が組み合わされた後、連接ユニットと活動基板の間が相対回転可能とされ、連接ユニットのピンと定向基板に設けられた位置決め孔が組み合わされた後、定向溝の制限を受けて連接ユニットと定向基板の間が相対回転不能とされ、これにより組合せ式板材が組合せ後に相互に接続されるほか、回転可能と回転不能な部位を発生する。
【課題を解決するための手段】
【００１２】
請求項１の考案は、活動基板、定向基板及び連接ユニットを具え、活動基板の二側端にそれぞれ二つの前後の対称な枢設孔が設けられ、定向基板の二側端にそれぞれ二つの前後の対称な定向溝が設けられ、定向溝内に位置決め孔が設けられ、連接ユニットの一側に前後に対称なピンが設けられ、該ピンが枢設孔及び位置決め孔に組み合わされ、連接ユニットのピンと活動基板に設けられた枢設孔が組み合わされた後、連接ユニットと活動基板の間が相対回転可能とされ、連接ユニットのピンと定向基板に設けられた位置決め孔が組み合わされた後、定向溝の制限を受けて連接ユニットと定向基板の間が相対回転不能とされ、これにより組合せ式板材が組合せ後に回転可能と回転不能な部位を発生することを特徴とする、組合せ式板材としている。
請求項２の考案は、請求項１記載の組合せ式板材において、連接ユニットにピン孔が設けられ、ピンが挿入ピンに設置され、並びに挿入ピンがピン孔に挿入された後に連接ユニットより突出することを特徴とする、組合せ式板材としている。
請求項３の考案は、請求項２記載の組合せ式板材において、ピン孔は連接ユニットを貫通し、ピン孔にヘッド溝が設けられ、挿入ピンの末端のヘッドが組み合わされて挿入ピンが位置決めされることを特徴とする、組合せ式板材としている。
請求項４の考案は、請求項２記載の組合せ式板材において、挿入ピンに後ろネジ山が設けられてピン孔と螺合固定されることを特徴とする、組合せ式板材としている。
請求項５の考案は、請求項２記載の組合せ式板材において、ピンの前ネジ山が設けられてピンと位置決め孔及び枢設孔が螺合固定され、この時、連接ユニットと活動基板の回転がピン孔と挿入ピンの間に発生することを特徴とする、組合せ式板材としている。
【考案の効果】
【００１３】
従来の技術と比較すると、本考案の技術手段は以下のような長所を有している。
１．組立が快速で、モジュール化された部品生産が行え、現場施工に便利である。
２．組合せ後に平面、湾曲、折り曲げ等を現出するよう実施でき、且つその湾曲度と曲げ角の調整が容易である。
３．設計変更或いは長さを延伸、短縮する時、板材を増加、除去或いは交換する方式で実施でき、板材を増加、除去或いは交換する過程中に板材に対して破壊を形成しない。
４．伝統的な現場施工の調整性を有し、伝統的な現場施工のように木屑や塵が発生せずまた施工廃棄物の問題がない。
５．各種の板材、例えば木質板材、金属板材、プラスチック板材、石板材、合成板材、強化ガラス板材、アクリル板材、カーボン繊維板材等、建築或いは造形物に常用される板材は、いずれも本考案の技術手段の実施により現場施工、組立、変更、交換及び調整を容易に達成できる。
【考案を実施するための最良の形態】
【００１４】
図１は本考案の立体分解図であり、図示されるように本考案の組合せ式板材は、活動基板１０、定向基板２０及び連接ユニット３０で構成されている。そのうち、活動基板１０は二側端にそれぞれ二つの前後の対称な枢設孔１１が設けられ、定向基板２０は二側端に前後の対称な定向溝２１が設けられ、定向溝２１内に位置決め孔２２が設けられ、連接ユニット３０の一側に前後の対称なピン３１が設けられている。
【００１５】
図２に示されるように、ピン３１は直接連接ユニット３０に成形されるほか、ピン孔３２が設置されて挿入ピン３３が挿入される方式で形成される。この実施例ではピン３１は挿入ピン３３の前端に設けられ、挿入ピン３３がピン孔３２に挿入された後、ピン３１が連接ユニット３０より突出する。次に、更に良好な位置決め効果と挿入ピン３３の作業中の脱落の情況を防止するため、ピン孔３２の一端にヘッド溝３４が設けられ、挿入ピン３３の一端のヘッド３５と組み合わされる。
【００１６】
図３及び図４を共に参照されたい。図３は本考案の組合せ式板材の組合せ実施例図である。図４は本考案の組合せ式板材の組合せ断面図である。連接ユニット３０がピン３１で活動基板１０に設けられた枢設孔１１と組み合わされた後、連接ユニット３０と活動基板１０の間は相対回転可能とされる。また連接ユニット３０がピン３１で定向基板２０に設けられた位置決め孔２２と組み合わされた後、定向溝２１の制限を受けて連接ユニット３０と定向基板２０の間が相対回転不能とされる。これにより、組合せ式板材の組合せ時に回転可能と回転不能な部位が発生する。
【００１７】
本考案の板材構造は組合せ上、回転可能と回転不能の効果を具備し、これにより板材が、囲い、屏風、椅子のシート、テーブル面、園芸用フレーム、視覚造形体、置物フレーム、装飾板、ランプカバー、家具等の物品に実施可能とされる。図５は本考案の組合せ式板材の椅子のシートへの実施表示図である。椅子のシートは人体工学に符合させるため、多くの折り曲げ、湾曲及び平面で構成され、人体が座る時に快適でリラックスできるものとされる。しかし、活動基板１０と定向基板２０の配列が、連接ユニット３０との間に発生する回転及び位置決めの技術により類似の椅子のシートのこのような複合曲面が本考案の実施により達成される。本考案が屏風、囲い或いは一般の造形体に実施される時、更に制限を受けず、要求により活動基板１０、定向基板２０の配列順序及び使用数量が組み合わされ、使用者が板材使用時に、更に必要に応じて空間を運用できる。
【００１８】
図６、７に示されるように、異なる材質の板材或いは使用の要求により、実施時には、挿入ピン３３に後ろネジ山３３１が設けられて連接ユニット３０と螺合固定され、これにより挿入ピン３３と連接ユニット３０の位置決め効果が強化される。或いはピン３１に前ネジ山３１１が設けられ、前ネジ山３１１と枢設孔１１或いは位置決め孔２２の螺合により位置決めされる。この実施時には、連接ユニット３０と活動基板１０の回転はピン孔３２と挿入ピン３３の間で発生し、並びに回転の効果を失わない。
【００１９】
図８に示されるように、本考案の活動基板１０、定向基板２０の実施は使用者の要求或いは異なる材料の使用に合わせて、造形の調整が行われ、例えば板材が金属とされる時、コストと構造重量等の因子を考慮し、厚さを薄くするか消耗材を節約する造形を以て実施される。
【図面の簡単な説明】
【００２０】
【図１】本考案の組合せ式板材の立体分解図である。
【図２】本考案の組合せ式板材の連接ユニットの実施態様表示図（一）である。
【図３】本考案の組合せ式板材の組合せ実施例図である。
【図４】本考案の組合せ式板材の組合せ断面図である。
【図５】本考案の組合せ式板材の椅子のシートへの実施表示図である。
【図６】本考案の組合せ式板材の連接ユニットの実施態様表示図（二）である。
【図７】本考案の組合せ式板材の連接ユニットの実施態様表示図（三）である。
【図８】本考案の組合せ式板材の別の実施態様表示図である。
【符号の説明】
【００２１】
１０  活動基板
１１  枢設孔
２０  定向基板
２１  定向溝
２２  位置決め孔
３０  連接ユニット
３１  ピン
３１１  前ネジ山
３２  ピン孔
３３  挿入ピン
３３１  後ろネジ山
３４  ヘッド溝
３５  ヘッド
【図１】
0003114374.tif 000003
【図２】
0003114374.tif 000004
【図３】
0003114374.tif 000005
【図４】
0003114374.tif 000006
【図５】
0003114374.tif 000007
【図６】
0003114374.tif 000008
【図７】
0003114374.tif 000009
【図８】
0003114374.tif 000010